(57)【要約】【課題】眩しさを軽減した構造のＬＥＤ照明ユニットを提供する。【解決手段】ＬＥＤ照明ユニット１０であって、ＬＥＤ素子２１が搭載された基板２０と、ＬＥＤ素子２１を覆う凸状部３２が形成された制御レンズ３０と、制御レンズ３０の凸状部３２の外周側面を覆う遮光部４１を有するルーバ４０とを有し、遮光部４１は、一端部に開口部４２が形成されていると共に、開口部４２と相対向する他端部に制御レンズ３０の凸状部３２が挿入される孔部４３ａが穿設された底壁４３が設けられ且つ底壁４３から開口部４２の縁部まで延びる側壁４４が設けられ、制御レンズ３０は、ＬＥＤ素子２１からの光を所定角度の射出光Ｌ１に変換して出射するようになっており、制御レンズ３０から出射される所定角度の射出光Ｌ１の外縁が、ルーバ４０の側壁４４の内縁４４ａ１に接するようになっている。【選択図】図６
2019067571.tif 000002
【特許請求の範囲】
【請求項１】
ＬＥＤ素子が搭載された基板と、
前記ＬＥＤ素子の発光部を覆う凸状部が形成された制御レンズと、
前記制御レンズの凸状部の外周側面を覆う遮光部を有するルーバとを有し、
前記ルーバの遮光部は、一端部に開口部が形成されていると共に、該開口部と相対向する他端部に前記制御レンズの凸状部が挿入される孔部が穿設された底壁が設けられ且つ該底壁から前記一端部の開口部の縁部まで延びる側壁が設けられ、該側壁の内側側面が前記制御レンズの凸状部の外周側面を取り囲んで覆っており、
前記制御レンズは、前記凸状部が前記ルーバの底壁の孔部に挿入されている共に、前記ＬＥＤ素子の発光部からの光を所定角度の射出光に変換して前記凸状部から出射するようになっており、
前記制御レンズから出射される所定角度の射出光の外縁が、前記ルーバの一端部の側壁の内縁に接するように、該ルーバが形成されていることを特徴とするＬＥＤ照明ユニット。
【請求項２】
前記ルーバの側壁の内側側面が、光りを高反射させると共に低拡散させる高反射・低拡散面になっており、
前記制御レンズからは、前記所定角度の射出光以外に、雑光が出射されるようになっており、前記雑光が、前記内側側面で反射し、前記開口部から照射されるようになっていることを特徴とする請求項１に記載のＬＥＤ照明ユニット。
【請求項３】
前記ルーバの側壁の内側側面は、側面視した場合の左右・２本のグレアカットオフ線の間の範囲に収まるように、前記雑光を反射させるように形成されていることを特徴とする請求項２に記載のＬＥＤ照明ユニット。
【請求項４】
前記ルーバは、黒色に形成されていることを特徴とする請求項１〜３のいずれかに記載のＬＥＤ照明ユニット。
【請求項５】
前記制御レンズの凸状部は、外周部の形状が略角錐台状であり且つその頂面が略円弧凸状に形成されており、
前記ルーバの遮光部は、前記開口部が平面視で多角形状に形成されていると共に、前記内側側面が、パラボリック形状に形成されていることを特徴とする請求項１から４のいずれかに記載のＬＥＤ照明ユニット。
【請求項６】
請求項１〜５のいずれかに記載のＬＥＤ照明ユニットを備えたライン型ベース照明器具であって、
前記基板は、細長い板状に形成されており、その長手方向に沿って、直線ライン上に、複数の前記ＬＥＤ素子が所定間隔を開けて列設されており、
前記制御レンズは、前記ＬＥＤ素子毎に設けられており、
前記ルーバの遮光部は、前記制御レンズ毎に設けられ、
さらに、前記ＬＥＤ照明ユニットを保持して収容する本体部を備えていることを特徴とするライン型ベース照明器具。
【発明の詳細な説明】
【技術分野】
【０００１】
本発明は、ＬＥＤ照明ユニット及び当該ＬＥＤ照明ユニットが搭載されたライン型ベース照明器具に関する。
【背景技術】
【０００２】
ＬＥＤ（Light Emitting Diode:発光ダイオード）は、消費電力が低く且つ長寿命で高輝度を確保できる光源であるため、オフィスや施設のベース照明器具、ダウンライト、デスクスタンド等の様々な照明器具の光源として用いられている。例えば、特許文献１には、ＬＥＤ照明灯モジュールが搭載されているライン型照明器具の構成が提案されている。また、特許文献２には、天井に設けられた給電ダクトレール（配線ダクト）に着脱自在に取り付けられるライン型ＬＥＤモジュールが提案されている。
【０００３】
特許文献１のＬＥＤ照明灯モジュールは、複数のＬＥＤを、直線上に配列して、細長い範囲にわたって照明できるように構成されている。
具体的には、上記のＬＥＤ照明灯モジュールは、細長い基板と、この基板の長手方向に所定間隔で実装されたＬＥＤと、各ＬＥＤを覆うように設けられたキャップ器体（レンズ）とを備えている。また、上記のライン型照明器具は、アルミなどから構成されるベースボディーに、上記のＬＥＤ照明灯モジュールを、上記基板の長手方向に連続して配設した構成になっており、ＬＥＤ照明灯モジュールの照射面が、長手方向に延びるカバー（透明又はフロスト仕上げの硝子若しくは樹脂性のカバー）で覆われている。
【０００４】
特許文献２に記載のライン型ＬＥＤモジュールは、多数のＬＥＤを直線ライン上に列設したＬＥＤ照明器具により構成されており、そのライン方向の中央部には、天井の給電ダクトレールに対して、着脱自在に装着するジョイント部が設けられている。
【０００５】
【特許文献１】特開２０１２−２８２０５号公報
【特許文献２】特開２０１１−１０８４８９号公報
【発明の開示】
【発明が解決しようとする課題】
【０００６】
しかし、上述した従来技術の照明器具は、高輝度に発光するという特性を有するＬＥＤを光源に用いているため、ユーザの視界の中に照明器具の発光部が入った場合に、非常に眩しく感じるという技術的課題を有している。特に、施設の天井に取り付けられるベース照明器具や、デスクスタンド等のような、ユーザが見上げると、照明器具の発光部が視覚に入ってしまう位置に設置される照明器具は、一日に何度も眩しく感じさせることがあり、ユーザに不快感を与えていた。
なお、ＬＥＤを光源に用いたデスクスタンド等では、ＬＥＤの前方を白色のカバーで覆ったものもあるが、カバーの上から見るＬＥＤの射出光についても、多くのユーザが眩しく感じている。
【０００７】
本発明は、上記の課題を解消するためになされたものであり、その目的は、眩しさを軽減した構造のＬＥＤ照明ユニット及び当該照明ユニットが搭載されたライン型ベース照明器具を提供することにある。
【課題を解決するための手段】
【０００８】
上記課題を解決するためになされた本発明は、ＬＥＤ照明ユニットであって、ＬＥＤ素子が搭載された基板と、前記ＬＥＤ素子の発光部を覆う凸状部が形成された制御レンズと、前記制御レンズの凸状部の外周側面を覆う遮光部を有するルーバとを有し、前記ルーバの遮光部は、一端部に開口部が形成されていると共に、該開口部と相対向する他端部に前記制御レンズの凸状部が挿入される孔部が穿設された底壁が設けられ且つ該底壁から前記一端部の開口部の縁部まで延びる側壁が設けられ、該側壁の内側側面が前記制御レンズの凸状部の外周側面を取り囲んで覆っており、前記制御レンズは、前記凸状部が前記ルーバの底壁の孔部に挿入されている共に、前記ＬＥＤ素子の発光部からの光を所定角度の射出光に変換して前記凸状部から出射するようになっており、前記制御レンズから出射される所定角度の射出光の外縁が、前記ルーバの一端部の側壁の内縁に接するように、該ルーバが形成されていることを特徴とする。
【０００９】
このように、本発明のＬＥＤ照明ユニットは、ＬＥＤ素子からの光（高輝度の光）を所定角度の射出光に変換して出射する制御レンズの外周側面がルーバに覆われ、ユーザからは制御レンズがルーバに遮られて見えにくくなっている。そのため、このＬＥＤ照明ユニットを照明器具に搭載した場合、ユーザが、当該照明器具を見上げた場合に、高輝度の射出光を出射する制御レンズが直接視界に入るエリアが限定されてくる。例えば、ＬＥＤ照明ユニットの真下等の限られたエリアから、ユーザがＬＥＤ照明ユニットを見上げた場合にだけ、制御レンズが直接視界に入る。その結果、ユーザは、制御レンズが直接視界に入る「限られたエリア（制御ユニットの真下等の限られたエリア）」にいる場合だけ眩しく感じ、その限られたエリア以外では、制御レンズがルーバに遮られて見えないため（制御レンズが直接視界に入らないため）、眩しく感じることがない。すなわち、本発明のＬＥＤ照明ユニットは、眩しさを軽減する構成になっている。
【００１０】
また、本発明では、制御レンズから出射される所定角度の射出光の外縁が、ルーバの一端部の側壁の内縁に接するように、ルーバが形成されている。
この構成によれば、ＬＥＤ照明ユニットの制御レンズから出射される「所定角度の射出光」の大部分の光が、ルーバに遮られることなく、ルーバから照明対象エリアに照射することができる。すなわち、本発明によれば、ユーザが眩しく感じることを防止するルーバが設けられた構成でありながら、ＬＥＤ素子の発光部が発光する光を有効に照明対象エリアに照射させることができ、無駄になる光を極力少なくできる。
【００１１】
また、前記ルーバの側壁の内側側面が、光りを高反射させると共に低拡散させる高反射・低拡散面になっており、前記制御レンズからは、前記所定角度の射出光以外に、雑光が出射されるようになっており、前記雑光が、前記内側側面で反射し、前記開口部から照射されるようになっていることが望ましい。
【００１２】
この構成を採用したのは以下の理由による。具体的には、ＬＥＤ照明ユニットからの光は、「ＬＥＤ素子の発光部から出射して制御レンズの入射部（有効入射面）に入射し、制御レンズで変換されて出射部（有効出射面）から出射される射出光」と、「射出光」以外の微量な「雑光」とに分類される。この「雑光」とは、「ＬＥＤ素子内部および制御レンズ内での散乱光」、「制御レンズの有効面（有効入射面、有効出射面）以外を通過する光」、「ＬＥＤ素子の発光面及び制御レンズの両面における反射光（これは多重反射をして出射される）」等のことを云う。
そして、ルーバの側壁の内側側面が高反射・低拡散面に構成されていることにより、上記の雑光を効率的に無駄なく反射させることができ、上記の射出光と共に、反射させた雑光を、ルーバの開口部から照射させることができる。すなわち、本発明によれば、ＬＥＤ照明ユニットの構造上発生する雑光についても、効率的に利用することができる。
【００１３】
また、前記ルーバの側壁の内側側面は、側面視した場合の左右・２本のグレアカットオフ線の間の範囲に収まるように、前記雑光を反射させるように形成されていることが望ましい。
この構成によれば、微量な雑光についても、ルーバに遮られて、直接、ユーザの視覚に入りにくくなるため、ユーザが眩しく感じる可能性が軽減される。
【００１４】
また、前記ルーバは、黒色に形成されていることが望ましい。
この構成によれば、ルーバ自体が光を吸収するため（例えば、白色のルーバのようにルーバが発光しているように見えないため）、ユーザがルーバを見ても、眩しく感じることがない。
【００１５】
また、前記制御レンズの凸状部は、外周部の形状が略角錐台状であり且つその頂面が略円弧凸状に形成されており、前記ルーバの遮光部は、前記開口部が平面視で多角形状に形成されていると共に、前記内側側面が、パラボリック形状に形成されていることが望ましい。
【００１６】
本発明では、制御レンズから出射される所定角度の射出光の外縁が、ルーバの一端部の側壁の内縁に接するようなっている。そのため、制御レンズの凸状部を略角錐台状にして且つその頂部を円形凸状に形成すると共に、ルーバの開口部を平面視で多角形状に形成することにより、ルーバの開口部から断面が多角形の光を照射させることができる。例えば、制御レンズの凸状部を略四角錐台状にして、ルーバの開口部を平面視で四角形状にすると、ルーバの開口部から断面が四角形の光を照射することができる。
また、ルーバの側壁の内側側面がパラボリック形状に形成されていることにより、上述した雑光を無駄なく拾って、照明対象エリアに照射する光として利用することができる。
【００１７】
また、本発明は、前記ＬＥＤ照明ユニットを備えたライン型ベース照明器具であって、前記基板は、細長い板状に形成されており、その長手方向に沿って、直線ライン上に、複数の前記ＬＥＤ素子が所定間隔を開けて列設されており、前記制御レンズは、前記ＬＥＤ素子毎に設けられており、前記ルーバの遮光部は、前記制御レンズ毎に設けられ、さらに、前記ＬＥＤ照明ユニットを保持して収容する本体部を備えていることを特徴とする。
【００１８】
この構成によれば、ライン状の光（例えば、長方形の断面の光）光を照射できるライン型ベース照明器具であって、眩しさを軽減した構造のライン型ベース照明器具を提供することができる。
【発明の効果】
【００１９】
本発明によれば、眩しさを軽減した構造のＬＥＤ照明ユニット及び当該ＬＥＤ照明ユニットが搭載されたライン型ベース照明器具を提供することができる。
【図面の簡単な説明】
【００２０】
【図１】本発明の実施形態のＬＥＤ照明ユニットが搭載されたライン型ベースベース照明器具を示した模式図であり、（ａ）がライン型ベース照明器具の側面を示した模式図であり、（ｂ）がライン型ベース照明器具を下方から見上げた模式図である。
【図２】本発明の実施形態のＬＥＤ照明ユニットの斜視図である。
【図３】本発明の実施形態のＬＥＤ照明ユニットの長手方向の断面を示した模式図である。
【図４】本発明の実施形態のＬＥＤ照明ユニットを下方から見た模式図である。
【図５】本発明の実施形態のＬＥＤ照明ユニットの短手方向の断面を示した模式図である。
【図６】本発明の実施形態のＬＥＤ照明ユニットから出射される射出光及び雑光と、ＬＥＤ照明ユニットのルーバとの関係を説明するための模式図である
【発明を実施するための最良の形態】
【００２１】
以下、本発明の実施形態のＬＥＤ照明ユニット１０及びＬＥＤ照明ユニット１０が搭載されたライン型ベース照明器具（以下、単に「ベース照明器具」という）Ｗについて図面に沿って説明する。
先ず、本実施形態のベース照明器具Ｗの概略構成について、図１〜４を参照しながら説明する。
【００２２】
図１に示すように、本実施形態のベース照明器具Ｗは、縦方向（図１のＸ方向）に細長い断面視コの字状に形成された本体部１（略箱状の本体部１）を備え、本体部１の内部には、ＬＥＤ照明ユニット１０（図１（ｂ）参照）及びＬＥＤ照明ユニット１０に電力を供給する電源部（図示せず）が収容されている。また、本体部１の略中央部（長手方向の中央部）には、配線ダクト（ライティングレール）Ｄに着脱自在に接続されるプラグ３が設けられている。なお、プラグ３は、上記の電源部（図示せず）に電気的に接続されている。
【００２３】
また、上記の本体部１は、平面視矩形の上面部１ａと、上面部１ａの長手方向の両縁部から略直角に屈曲して下方に延びる１対の側面部１ｂとを有し、下方が開放した断面視コの字状に形成されている。また、本体部１は、その長手方向の中央部に凹状に凹んだ凹部１ｃが形成され、この凹部１ｃに、上記のプラグ３が設けられている。
なお、本体部１は、例えば、ステンレス等の金属や合成樹脂により形成されている。
【００２４】
また、図２〜４に示すように、ＬＥＤ照明ユニット１０は、複数のＬＥＤ素子（ＬＥＤチップ）２１（図３参照）が直線ライン上に列設されているＬＥＤ基板２０と、ＬＥＤ素子２１毎に設けられ、且つ各ＬＥＤ素子２１の発光面を覆う制御レンズ３０と、各制御レンズ３０の外周側面を覆う遮光部４１を有するルーバ４０とを備えている。
なお、図１に示す例では、２つのＬＥＤ照明ユニット１０が、本体部１の長手方向に、所定間隔を開けて配設されているが、ＬＥＤ照明ユニット１０の数は適宜設計されるものである。
また、ＬＥＤ照明ユニット１０の構成は、後段で詳細に説明する。
【００２５】
また、上記の配線ダクトＤは、例えば、住居や店舗等の施設の天井等に取り付けられて利用される。そして、天井に取り付けられた配線ダクトＤの所望位置にプラグ３を取り付けて接続すると、ベース照明器具Ｗが配線ダクトＤの所望位置に取り付けられる。
なお、配線ダクトＤは、下面中央に開口が形成された長尺な角筒状に形成され、その筒内・両側に、ベース照明器具Ｗに電力を供給する給電端子（図示せず）が長手方向に沿って設けられている。
【００２６】
また、プラグ３は、上端側に、配線ダクトＤの下面中央の開口に着脱自在に挿嵌する嵌合部（図示せず）が設けられている。この嵌合部には、配線ダクトＤに挿嵌されたときに、配線ダクトＤの給電端子に当接し、給電端子から供給される電力を受電する受電端子（図示せず）が設けられている。
そして、配線ダクトＤにプラグ３を取り付けて接続すると、配線ダクトＤの給電端子からの電力がプラグ３を介して本体部１の内部に収容された電源部（図示せず）に供給され、この電源部からの電力がＬＥＤ照明ユニット１０に供給され、ＬＥＤ照明ユニット１０が発光し、本体部１の下方から光が照射される。
【００２７】
次に、ＬＥＤ照明ユニット１０の具体的な構成について、上述した図２〜４と、図５、６とを参照しながら説明する。
ここで、図５は、本実施形態のＬＥＤ照明ユニットの短手方向の断面を示した模式図であり、図６は、本実施形態のＬＥＤ照明ユニットから出射される射出光及び雑光と、ＬＥＤ照明ユニットのルーバとの関係を説明するための模式図である。
【００２８】
ＬＥＤ照明ユニット１０は、配線パターンが設けられ且つ複数のＬＥＤ素子２１が搭載されたＬＥＤ基板２０と、各ＬＥＤ素子２１の発光部を覆う凸状部３２が形成された制御レンズ３０と、制御レンズ３０の凸状部３２の外周側面を覆う遮光部４１を有するルーバ４０とを有している。ここで、ＬＥＤ基板２０は、細長い矩形板状に形成されており、その長手方向に沿って、直線ライン上に、複数のＬＥＤ素子２１が所定間隔を開けて列設されている。
なお、ＬＥＤ基板２０は、その裏面がブラケット１５（図２、３参照）に固定されており、ブラケット１５（図２、３参照）が本体部１の上面部１ａに取り付けられるようになっている。
【００２９】
制御レンズ３０は、ＬＥＤ素子２１の発光部から照射される光を所定角度の射出光Ｌ１（図６参照）に変換して凸状部３１の表面部（外周部）から出射するように構成されており、ＬＥＤ素子２１毎に設けられている。
【００３０】
具体的には、制御レンズ３０は、図５に示すように、ＬＥＤ素子２１を覆う凸状部３２と、凸状部３２の下端・縁部から凸状部３２よりも外方に向けて延設されている板状のフランジ部３３とを有している。
凸状部３２は、外形形状（表面側の形状）が略四角錐台状であり且つその頂部が略円弧凸状に形成されている。また、凸状部３２の外周面（外周側面及外周上面）が、所定角度の射出光Ｌ１を出射する出射部（有効出射面）３２ａになっている。
また、凸状部３２の裏面側は、空隙部３１を有する略中空のドーム状に凹んだ形状になっており、この空隙部３１にＬＥＤ素子２１が配置されるようになっている。また、凸状部３２の略中空の略ドーム状の内周面がＬＥＤ素子２１の発光部からの光が入射される入射部（有効入射面）３２ｂになっている。
なお、制御レンズ３０は、例えば、透光性を有する合成樹脂や硝子等により形成されている。
【００３１】
上記の制御レンズ３０は、凸状部３２の空隙部３１に、ＬＥＤ素子２１を配置させた上で、ＬＥＤ基板２０の上にフランジ部３３を載置し固定することにより、ＬＥＤ基板２０の上に制御レンズ３０が取り付けられる。
【００３２】
そして、ＬＥＤ素子２１の発光部からの光は、図６に示すように、凸状部３２の裏面側の入射部（有効入射面）３２ｂに入射され、凸状部３２により、所定角度（θ１＝α°）射出光Ｌ１に変換され、凸状部３２の表面の出射部（有効出射面）３２ａから、射出光Ｌ１が出射されるようになっている。
また、ＬＥＤ照明ユニット１０は、その構造上、制御レンズ３０の入射部（有効入射面）３２ｂに入射し、制御レンズ３０で変換されて出射部（有効出射面）３２ａから出射される射出光Ｌ１（制御レンズ３０により制御された射出光Ｌ１）以外にも、微量な雑光Ｌ２が出射されるようになっている。
なお、本実施形態で説明する雑光Ｌ２とは、「ＬＥＤ素子２１の内部および制御レンズ３０内での散乱光」、「制御レンズ３０の有効面（有効入射面、有効出射面）以外を通過する光」、「ＬＥＤ素子２１の発光面及び制御レンズの両面における反射光（これは多重反射をして出射される）」等の光のことを云う。
【００３３】
また、ルーバ４０は、図２〜４に示すように、ＬＥＤ基板２０の長手方向に沿って、複数の遮光部４１が並べられて形成された構成になっており（平面視で一列の格子状に形成されており）、それぞれの遮光部４１が、対応する制御レンズ３０の凸状部３２の外周側面を覆っている。
【００３４】
また、図５に示すように、ルーバ４０の遮光部４１は、略四角筒状に形成され、一端部に平面視四角形の開口部４２が形成されていると共に、開口部４２と相対向する他端部に制御レンズ３０の凸状部３２が挿入される孔部４３ａが穿設された底壁４３が設けられている。また、底壁４３から開口部４２の縁部まで延びる側壁４４が設けられ、側壁４４の内側側面４４ａが制御レンズ３０の凸状部３２の外周側面を取り囲んで覆っている。なお、内側側面４４ａは、制御レンズ３０の凸状部３２の外周側面と離間した状態で、凸状部３２の外周側面を覆っている。
【００３５】
また、側壁４４の内側側面４４ａは、４面の側面部により形成され、各側面部が、それぞれ、略四角錐台状の制御レンズ３０（凸状部３２）の対応する外周側面に向き合うように配置されている。また、制御レンズ３０の外周側面を取り囲んでいる内側側面４４は、パラボリック形状に形成されている。そして、制御レンズ３０からの雑光が、側壁４４の内側側面４４ａで反射し開口部４２から出射されるようになっている。
なお、ルーバ４０は、例えば、合成樹脂により形成されている。
【００３６】
次に、本実施形態のＬＥＤ照明ユニット１０の「制御レンズ３０から出射される射出光とルーバ４０の形状との関係」、及び「上記雑光とルーバ４０の内側側面４４ａとの関係」について、図６を用いて説明する。
【００３７】
図示するように、本実施形態のＬＥＤ照明ユニット１０は、制御レンズ３０から出射される射出光Ｌ１の外縁が、ルーバ４０の一端部側（開口部４２側）の側壁４４の内縁（以下、説明の便宜上、「内角」という）４４ａ１に接するように、ルーバ４０の側壁４４の形状及び大きさ寸法が形成されている。なお、制御レンズ３０についても、射出光Ｌ１の外縁が、ルーバ４０の一端部側（開口部４２側）の側壁４４の内角４４ａ１に接するように、設計されている。
【００３８】
また、本実施形態では、制御レンズ３０の外形と、ルーバ４０の内角４４ａ１とを結んだ線である「グレアカットオフ線ｇｃ」の水平方向に対する角度が所望角度θ２になるように、制御レンズ３０の外形形状及び大きさ寸法と、ルーバ４０の側壁４４の形状及び大きさ寸法とが設定されている。図示する例では、所望角度θ２が「３５°」である場合を例示している。
また、本実施形態において、「θ２＝３５°」としたのは以下の理由による。
具体的には、通常人間が見上げる角度は「３０°」と云われており、「θ２」が「３０°」より大きければ、眩しさを抑えることができる。但し、「θ２」の値を大きくし過ぎた場合、眩しさは抑えられるが対象物を照らすのに有効な光の量は限られ、照射範囲も狭くなる。
そのため、本願発明者は、眩しさを抑えつつも、直下の作業環境において必要な明るさを提供できる上記の角度（θ２）について、研究や試験を行った。その結果、「θ２＝３５°」にすることが、利用者にとり最適であるとの結論に至り、「θ２＝３５°」になる設計を採用した。これにより、本実施形態によれば、制御レンズ３０とルーバ４０による独自の光学制御によって、眩しさと光の取り出し効率という２つの相反する課題が同時に解決できるようになっている。
なお、上記のθ２は「３５°」であることが最適であるが、θ２が「３５°」に近い範囲の角度（例えば、３０＜θ２＜３５）であっても、略同様の効果が得られる（３０＜θ２＜３５の場合、眩しさを抑える効果は多少減少する）。
【００３９】
そして、図示する例によれば、ユーザが見上げた「θ２＝３５°」の範囲では、ユーザは、ルーバ４０に遮られて光源（この場合、発光している制御レンズ３０）が見えないため眩しく感じることがない。
また、図示する例では、ＬＥＤ照明ユニット１０の制御レンズ３０から出射される所定角度αの射出光Ｌ１」の大部分の光が、ルーバ４０に遮られることなく、ルーバ４０の開口部４２から照明対象エリアに照射される。すなわち、本実施形態のＬＥＤ照明ユニット１０は、ユーザが眩しく感じることを防止するために、制御レンズ３０の外周側面を覆うルーバ４０が設けられた構成でありながら、ＬＥＤ素子２１の発光部が発光する光を有効に照明対象エリアに照射させることができ、無駄になる光を極力少なくすることができる。
【００４０】
また、本実施形態のルーバ４０は、黒色に形成されていることが望ましい
この構成によれば、ルーバ４０自体が光を吸収するため（例えば、白色のルーバのようにルーバが発光しているように見えないため）、ユーザは、ルーバ４０を見ても、眩しく感じることがない。
【００４１】
また、ルーバ４０の側壁４４は、少なくとも、その内側側面４４ａ（制御レンズ３０の凸状部３２の外周側面との相対向面）が、光りを高反射させると共に低拡散させる高反射・低拡散面（例えば、黒色鏡面）になっていることが望ましい。この構成により、制御レンズ４０からの雑光Ｌ２が、この高反射・低拡散面４４ａにより効率良く反射され、開口部４２から照射させることができ、雑光を有効活用できる。
【００４２】
さらに、本実施形態では、ルーバ４０の側壁４４の内側側面４４ａは、制御レンズ３０からの雑光Ｌ２を、側面視において、左右・２本のグレアカットオフ線ｇｃがなす角度θ３の範囲内に収まるように反射させるように形成されている。すなわち、内側側面４４ａは、２本のグレアカットオフ線ｇｃの間の範囲に収まるように、雑光Ｌ２を反射させるようになっている。図示する例では、左右のグレアカットオフ線ｇｃ（２本のグレアカットオフ線ｇｃ）がなす角度θ３が「１１０°」になっており、制御レンズ３０からの雑光Ｌ２は、ルーバ４０の側壁４４の内側面４４ａで反射して、その反射光が、左右のグレアカットオフ線ｇｃの範囲（１１０°の範囲）に収まるようになっている。
この構成によれば、微量な雑光Ｌ２についても、直接、ユーザの視覚に入りにくくなるため、ユーザが眩しく感じる可能性が軽減される。
【００４３】
また、本実施形態では、制御レンズ３０の凸状部３２の外形形状（表面側の形状）が略四角錐台状に形成されており、この制御レンズ３０から出射される射出光Ｌ１が、ルーバ４０の遮光部４１の一端部側（開口部４２側）の側壁４４の内角４４ａ１に接して、平面視四角形の開口部４２から出射されていくようになっている。
この構成によれば、ルーバ４０の遮光部４１の開口部４２から断面が四角の光が照射される。
【００４４】
また、本実施形態のＬＥＤ制御ユニット１０は、直線ライン上に、複数のＬＥＤ素子２１が所定間隔を開けて列設され、各ＬＥＤ素子２１に制御レンズ３０が設けられ、各制御レンズ３０の外周側面がルーバ４０の対応する遮光部４１に覆われている。
この構成により、ルーバ４０の各遮光部４１の開口部４２から出射される断面が四角形の光が直線ライン状に並び、断面が長方形をなす細長い光となって照射される。
【００４５】
なお、本発明は、上述した実施形態に限定されるものではなく、その要旨の範囲内において種々の変更が可能である。
【００４６】
上述した実施形態では、ＬＥＤ照明ユニット１０は、複数のＬＥＤ素子２１を有する構成になっているが、これは一例に過ぎない。
例えば、ＬＥＤ照明ユニットは、1個のＬＥＤ素子２１を搭載したＬＥＤ基板（図示せず）と、当該ＬＥＤ基板の発光部を覆う凸状部３２が形成された制御レンズ３０と、制御レンズ３０の凸状部３２の外周側面を覆う遮光部４１を有するルーバ（図示せず）とを備えた構成であっても良い。この場合においても、本実施形態と同様、眩しさを軽減した構造のＬＥＤ照明ユニットを提供することができる。なお、この場合は、例えば、小型のダウンライト等に、ＬＥＤ照明ユニットを搭載して用いることができる。
【００４７】
また、上述した実施形態では、ＬＥＤ照明ユニット１０がライン型ベース照明器具Ｗに搭載されている例を示したが、ＬＥＤ照明ユニット１０は、様々な照明器具に搭載して用いることが可能である。例えば、デスクスタンドの光源として、ＬＥＤ照明ユニット１０を用いることもできる。
【００４８】
また、上述した実施形態のベース照明器具Ｗは、配線ダクトＤに直接取り付けられるタイプのものであったが、あくまでもこれは例示に過ぎない。例えば、本実施形態のＬＥＤ照明ユニット１０の本体部１に、本体部１の上面１ａから直角方向に延びる棒状のアーム部を設け、アーム部の先端に、配線ダクトＤに接続するプラグ３が設けられている構成であっても良い。この場合、ライン型ベース照明器具Ｗは、配線ダクトＤにアーム部を介して取り付けられる（配線ダクトＤに吊り下げられた状態で取り付けられる）。
また、ライン型ベース照明器具Ｗは、配線ダクトＤに取り付けられるものではなく、天井に直接設置されるタイプのものであってもよい。
【００４９】
また、上述した実施形態で示した制御レンズ３０の形状は、あくまでも一例に過ぎない。制御レンズ３０は、ＬＥＤ素子２１の発光部から照射される光を所定角度の射出光Ｌ１に変換して出射するように構成されていれば良い。
【符号の説明】
【００５０】
Ｌ１…射出光
Ｌ２…雑光
ｇｃ…グレアカット線
Ｄ…配線ダクト
Ｗ…ライン型ベース照明器具
１…本体部
１ａ…上面部
１ｂ…側面部
１ｃ…凹部
３…プラグ
１０…ＬＥＤ照明ユニット
１５…ブラケット
２０…ＬＥＤ基板
２１…ＬＥＤ素子
３０…制御レンズ
３１…空隙部
３２…凸状部
３２ａ…出射部（有効出射面）
３２ｂ…入射部（有効入射面）
３３…フランジ
４０…ルーバ
４１…遮光部
４２…開口部
４４…側壁
４４ａ…内側側面
４４ａ１…側壁の内縁（内角）
【図１】
2019067571.tif 000003
【図２】
2019067571.tif 000004
【図３】
2019067571.tif 000005
【図４】
2019067571.tif 000006
【図５】
2019067571.tif 000007
【図６】
2019067571.tif 000008